(57)【特許請求の範囲】
【請求項１】
警戒地域毎に設けた押し釦を有する発信機と、これらの発信機と無線或は有線で接続され、押し釦が操作された警戒地域を特定するとともに、該当警戒地域をランプと銘板にて表示する表示装置を備えた受信機とで構成される緊急通報装置において、
任意の場所に取付け自在に設置され、信号の入力で鳴動するサイレン及び点滅するフラッシュランプ及び警戒地域を表示する複数個のＬＥＤで構成されるＬＥＤ表示部が配設される大型警報表示器と、前記受信機から前記大型警報表示器に信号を送信するコントローラとを備え、
前記警戒地域が学校の教室、体育館、及び運動場を含み、
前記押し釦を有する発信機が、所定場所に設置される押し釦型送信機と、可搬可能な送信機とから成り、
前記学校内の要所に設置され、前記押し釦型送信機または前記可搬可能な送信機から前記大型警報表示器に送信される信号を中継する中継機を備え、
前記押し釦型送信機を、前記教室のそれぞれに少なくとも１個設置するとともに前記体育館に複数個設置し、
前記可搬可能な送信機を、前記運動場に持参するようにし、
前記大型警報表示器を、前記学校の職員室または事務室に備え、
前記フラッシュランプは、前記大型警報表示器の表面より突出して設置され、三角柱形状を成すプラスチックカバーの内部に複数のＬＥＤを設けたものから成ることを特徴とする緊急通報装置。
【請求項２】
請求項１記載の緊急通報装置において、
前記コントローラは、前記発信機が前記受信機へ送信した信号によって当該警戒地域の文字データへ変換し、前記ＬＥＤ表示部に表示させる表示データ変換部と、この変換した文字データ及び前記サイレンの鳴動信号及び前記フラッシュランプの点滅信号を前記大型警報表示器へ送信する信号送信部とを備えたことを特徴とする緊急通報装置。
【請求項３】
請求項１または２記載の緊急警報装置において、
前記送信部は前記受信機が受信する都度、少なくとも当該警戒地域の文字データを前記大型警報表示器へ送信するようにしたことを特徴とする緊急通報装置。
【請求項４】
請求項１乃至３のいずれか１項記載の緊急通報装置において、
前記コントローラには、前記サイレンの鳴動を停止させるサイレン停止スイッチと、操作された前記押し釦が全てリセットされたとき、前記大型警報表示器の前記フラッシュランプ及び前記ＬＥＤ表示部を消灯可能とする警報リセットスイッチとを備えたことを特徴とする緊急通報装置。
【発明の詳細な説明】
【技術分野】
【０００１】
本発明は、緊急通報装置に係り、特に学校内への侵入者及びこの侵入者による犯罪に対する通報・報知に好適な緊急通報装置に関する。
【背景技術】
【０００２】
従来の緊急通報装置として、特許３６３０４１３号に記載されているように、複数の警戒地域に押し釦を設けた発信機がそれぞれ配設され、緊急通報操作で押し釦が押されると、発信機が起動して受信機が設けられた警戒地域を特定するアドレス信号を含んだ緊急信号を送信し、その緊急信号を受信した受信機は、受信したアドレス信号に基づいて該当する発信機を特定するとともに、該当発信機の警戒地域を表示する表示灯を点灯させて異常発生を報知し、表示灯の点灯と表示灯の近傍に設けた銘板にて緊急事態が発生した警戒地域を確認する技術があった。
【特許文献１】特許３６３０４１３号（段落００６５〜００７０，図１）
【発明の開示】
【発明が解決しようとする課題】
【０００３】
上記従来技術は、受信機に設けられる表示灯と銘板では表示が小さく、異常事態発生場
所の確認は受信機の近くに行かなくてはできないという問題や、一度に確認できるのは一
人が限度であり情報の共有化が迅速に行えないという問題や、複数の警戒地域の押し釦が
操作されると受信機の表示灯は複数個所点灯するため、どの警戒地域に出動してよいか判
らないという問題や、侵入者が危険物を置くおそれがあるため、侵入者の侵入した警戒地
域の確認は必ず行う必要があるが、複数の警戒地域の確認が全て終了したか否かを判断す
るのが面倒なため、確認漏れが発生するという問題があった。
【０００４】
本発明の第１の目的は、異常事態が発生した警戒地域の確認を迅速且つ確実に行える緊急通報装置を提供することにある。
【０００５】
本発明の第２の目的は、異常事態が発生した複数の警戒地域から出動すべき警戒地域の特定が行える緊急通報装置を提供することにある。
【０００６】
本発明の第３の目的は、異常事態が発生した複数の警戒地域の確認が漏れなく行える緊急通報装置を提供することにある。
【課題を解決するための手段】
【０００７】
上記第１の目的を達成するために請求項１の発明は、警戒地域毎に設けた押し釦を有する発信機と、これらの発信機と無線或は有線で接続され、押し釦が操作された警戒地域を特定するとともに、該当警戒地域をランプと銘板にて表示する表示装置を備えた受信機とで構成される緊急通報装置において、任意の場所に取付け自在に設置され、信号の入力で鳴動するサイレン及び点滅するフラッシュランプ及び警戒地域を表示する複数個のＬＥＤで構成されるＬＥＤ表示部が配設される大型警報表示器と、前記受信機から前記大型警報表示器に信号を送信するコントローラとを備え、前記警戒地域が学校の教室、体育館、及び運動場を含み、前記押し釦を有する発信機が、所定場所に設置される押し釦型送信機と、可搬可能な送信機とから成り、前記学校内の要所に設置され、前記押し釦型送信機または前記可搬可能な送信機から前記大型警報表示器に送信される信号を中継する中継機を備え、前記押し釦型送信機を、前記教室のそれぞれに少なくとも１個設置するとともに前記体育館に複数個設置し、前記可搬可能な送信機を、前記運動場に持参するようにし、前記大型警報表示器を、前記学校の職員室または事務室に備え、前記フラッシュランプは、前記大型警報表示器の表面より突出して設置され、三角柱形状を成すプラスチックカバーの内部に複数のＬＥＤを設けたものから成ることを特徴としている。 
また、請求項２の発明は、前記発明において、前記コントローラは、前記発信機が前記受信機へ送信した信号によって当該警戒地域の文字データへ変換し、前記大型警報表示器の前記ＬＥＤ表示部に表示させる表示データ変換部と、この変換した文字データ及び前記サイレンの鳴動信号及び前記フラッシュランプの点滅信号を前記大型警報表示器へ送信する信号送信部とを備えたことを特徴としている。
【０００８】
このように、大型警報表示器は、受信機の設置場所と離れた誰もが目にとまり易い場所、例えば天井近傍の高所へ設置可能となるとともに、押し釦が操作された警戒地域を特定する表示が受信機の表示装置と比べ、ＬＥＤ表示部へ文字情報にて場所を特定して大きく表示される。
【０００９】
また、上記第２目的を達成するために請求項３の発明は、前記コントローラに設けた送信部は、前記受信機が受信する都度、少なくとも当該警戒地域の文字データを前記大型警報表示器へ送信するようにしたものである。
【００１０】
このように、複数の押し釦が操作された場合、最も新しい警戒地域がＬＥＤ表示部に表示されるので、出動すべき場所が明確となる。
【００１１】
また、上記第３目的を達成するために請求項４の発明は、前記コントローラには、前記サイレンの鳴動を停止させるサイレン停止スイッチと、操作された前記押し釦が全てリセットされたとき、前記大型警報表示器の前記フラッシュランプ及び前記ＬＥＤ表示部を消灯可能とする警報リセットスイッチとを備えたものである。
【００１２】
このように、押し釦が操作された警戒地域の確認が全て完了すれば、大型警報表示器のフラッシュランプ及びＬＥＤ表示部の消灯が行える。
【発明の効果】
【００１３】
本発明によれば、大型警報表示器は、受信機の設置場所と違う誰もが目にとまり易い場所、例えば天井近傍の高所へ設置することができるとともに、押し釦が操作された警戒地域の表示は受信機に配設される表示装置と比べ、ＬＥＤ表示部にてより大きく場所を特定して文字情報として表示されるので、居室内で誰もが受信機の近傍へ移動することなく警戒地域の特定が容易に行えるので、有事に対する対応が迅速で正確に行える。
【００１４】
また、請求項３の発明によれば、操作された複数の押し釦から最も新しい警戒地域をＬＥＤ表示部へ表示するようにしたので、出動すべき場所が明確となる。また、受信機の表示装置に複数表示されている警戒地域と比較することで、侵入者が次に向かう場所を予測できるので、侵入者の捕獲が迅速に行える。
【００１５】
また、請求項４の発明によれば、押し釦が操作された警戒地域の確認が全て完了しなければ、大型警報表示器のフラッシュランプ及びＬＥＤ表示部を消灯できないので、警戒地域の確認を漏れなく確実に行える。
【発明を実施するための最良の形態】
【００１６】
以下、本発明の緊急通報装置の実施の形態を図に基づいて説明する。
【００１７】
図１は本発明の一実施形態に係わる緊急通報装置を示す全体構成図、図２は学校内における緊急通報装置の機器配置を示す配置図、図３は職員室などに設置する緊急通報装置機器の配置を示す配置図、図４は緊急通報装置の動作の一例を示すフローチャートである。
【００１８】
図１において、大型警報表示器１は、中央部に、教室名などの警戒地域を文字データとして表示し、例えば横２０個、縦１５個、計３００個のＬＥＤで構成されるＬＥＤ表示部２と、左側に、大型警報表示器１の表面より突出して設置され、三角柱の形状を成すプラスチックのカバーの内部に複数のＬＥＤが設けられ、緊急事態をＬＥＤの点滅により目視で通知するフラッシュランプ３と、右側に、緊急事態を聴覚で通知するサイレン４とが配設されている。
【００１９】
また、後述する押し釦型送信機１３及び中継機１２から無線信号で送信される警報信号や復旧信号を受信する受信機５は、押し釦型送信機１３から警報信号を受信すると点灯する表示灯７と、表示灯７の警戒地域を明記する銘板８とが複数個配設され、押し釦型送信機１３から復旧信号の受信によって点滅状態となった表示灯７を消灯するリセットボタン６を設けている。
【００２０】
また、大型警報表示器１及び受信機５に接続されるコントローラ９には、受信機５から警報信号や復旧信号等の信号を取り込む信号入力部９ａと、フラッシュランプ３及びサイレン４の動作等を制御する制御部９ｂと、警報信号から警戒地域の文字データヘ変換する表示データ変換部９ｃと、大型警報表示器１に信号を出力する信号出力部９ｄとを有し、大型警報表示器１へ警報信号の出力によって鳴動するサイレン４を停止させるサイレン停止スイッチ１０と、全ての警戒地域が復旧となったとき、検出大型警報表示器１のフラッシュランプ３及びＬＥＤ表示部２が消灯可能となる警報リセットスイッチ１１とが備えられている。
【００２１】
ここで、押し釦１３aと、この押し釦１３ａの操作で警戒信号を出力し、押し釦１３ａの解除で復旧信号を出力する無線発信機１３ｂとで構成される押し釦型送信機１３は、警戒地域毎に設置され、受信機５へ無線にて信号送信されるが、電波が届かない場合は要所要所に設置した中継機１２を介して受信機５へ信号を伝達する。
【００２２】
また、警戒地域である教室等の名称変更があった場合は、コントローラ９に必要時接続されるパーソナルコンピュータ１６を用いて、文字データの書き換えを行なう。
【００２３】
次に、送信機１３、中継機１２、受信機５、コントローラ９、大型警報表示器１の設置の一例を図２及び図３にて説明する。
【００２４】
図２及び図３において、押し釦型送信機１３は、教室１９に少なくとも１個設置し、警戒地域が広い体育館２０には複数個設置すれば、有事に押し釦１３ａを操作するという対応を速やかに行なえ、プール２１や運動場２２については、無線通信を行い可搬可能であるペンダント型送信機１４や腕時計型送信機１５を使用することで、押し釦型送信機１３を設置できない場所への対応が図れる。また、校舎内等仕切られた空間がある場合は廊下１８や階段室等に中継機１２を複数設置することで、無線の電波が直接受信機５へ届かない範囲をカバーできる。
【００２５】
また、大型警報表示器１、受信機５、コントローラ９の設置場所は、学校の教員が駐在する職員室１７や、職員の誰かが在席している事務室が適しており、本実施例では職員室１７に設置した例で説明を行なう。
【００２６】
ここで、本発明の緊急通報装置の操作や、有事における対応指示を行なう教職員の責任者である教頭席の近傍の壁に受信機５とコントローラ９を設置し、大型警報表示器１は天井近傍の高所へ設置すれば、警戒地域の場所を含め全職員の目にとまり易い。
【００２７】
次に、図４に基づいて緊急警報装置の動作を説明する。
【００２８】
学校の校舎内に不審者が侵入し、１−１教室にて不審者を発見すると、１−１教室に設置した押し釦型送信機１３の押し釦１３ａを発見者が押下すると(ステップＡ１)、押し釦型送信機１３から警報信号と無線発信機１３ｂに予め設定した送信機ＩＤ(１−１)を送信する(ステップＡ２)。
【００２９】
警報信号と送信機ＩＤを受信した受信機５は、送信機ＩＤを認識し(ステップＢ１)、その認識により１−１の銘板８に隣接した表示灯７を点灯させるとともに(ステップＢ２)、送信機ＩＤの認識により抽出した１−１なる信号をコントローラ９へ出力する(ステップＢ３)。
【００３０】
コントローラ９の制御部９ｂは、信号入力部９ａで警報信号と１−１なる信号を取り込むと、表示データ変換部９ｃにて１−１なる信号を文字データ(１−１)を変換し、信号出力部９ｄを介して大型警報表示器１へ出力するとともに(ステップＣ１)、警報信号の入力によって信号出力部９ｄからフラッシュランプ３とサイレン４へ動作信号を出力する(ステップＣ２，ステップＣ３)。
【００３１】
ステップＣ１〜Ｃ３の信号を受信した大型警報表示器１は、ＬＥＤ表示部２に１−１を表示するとともに(ステップＤ１)、フラッシュランプ３の点滅と(ステップＤ２)、サイレン４の鳴動を(ステップＤ３)行なう。
【００３２】
この状態で、教頭などの責任者は、ＬＥＤ表示部２より警戒地域である１−１教室を目視にて確認後、校内放送などを用いて全校内へ緊急事態を知らせるために、大型警報表示器１のサイレン４の鳴動を停止させる必要が有り、その方法はコントローラ９の装備されているサイレン停止スイッチ１０を押下すると(ステップＣ４)、制御部９ｂは信号出力部９ｄからサイレン停止信号を出力させ(ステップＣ５)、サイレン停止信号を入力した大型警報表示器１はサイレンの鳴動を停止させる(ステップＤ４)。
【００３３】
次に、不審者が、１−１教室から移動して２−１教室にて不審者を発見すると、２−１教室に設置した押し釦型送信機１３の押し釦１３ａを発見者が押下すると(ステップＡ３)、押し釦型送信機１３から警報信号と無線発信機１３ｂに予め設定した送信機ＩＤ(２−１)を送信する(ステップＡ４)。
【００３４】
警報信号と送信機ＩＤを受信した受信機５は、送信機ＩＤを認識し(ステップＢ１)、その認識により２−１の銘板８に隣接した表示灯７を点灯させるとともに(ステップＢ５)、送信機ＩＤの認識により抽出した２−１なる信号をコントローラ９へ出力する(ステップＢ６)。
【００３５】
コントローラ９の制御部９ｂは、信号入力部９ａで警報信号と２−１なる信号を取り込むと、表示データ変換部９ｃにて２−１なる信号を文字データ(２−１)を変換し、信号出力部９ｄを介して大型警報表示器１へ出力するとともに(ステップＣ６)、警報信号の入力によって信号出力部９ｄからサイレン４へ動作信号を出力する(ステップＣ７)。
【００３６】
ステップＣ６，ステップＣ８の信号を受信した大型警報表示器１は、ＬＥＤ表示部２に２−１を表示するとともに(ステップＤ５)、サイレン４を再鳴動させる(ステップＤ６)。
【００３７】
教頭などの責任者は、ＬＥＤ表示部２より警戒地域である２−１教室を目視にて確認後、校内放送などを用いて全校内へ緊急事態を再度知らせるために、大型警報表示器１のサイレン４の鳴動を停止させる。その方法は上述した方法と同様に、コントローラ９のサイレン停止スイッチ１０を押下(ステップＣ８)で、信号出力部９ｄから出力するサイレン停止信号によって(ステップＣ９)、大型警報表示器１のサイレン４の鳴動が停止する(ステップＤ７)。
【００３８】
ここで、受信機５の表示灯７は１−１と２−１が点灯し、大型警報表示器１のＬＥＤ表示部２は２−２教室が表示されているので、これらの表示より不審者が次に異動する場所が推測できるため、不審者を待ち伏せて捕獲することも可能である。
【００３９】
次に、不審者を捕獲しても、侵入場所に危険物などを放置する場合があるため、侵入場所の安全を確認するまで、大型警報表示器１はＬＥＤ表示部２へ警戒地域の表示及びフラッシュランプ３の点滅を続ける。
【００４０】
確認復旧の方法は、侵入現場である１−１教室と２−１教室の安全を確認後、押し釦型送信機１３の押し釦１３ａを引き戻すと(ステップＡ５)、押し釦型送信機１３の無線発信機１３ｂから復旧信号と送信機ＩＤを送信し(ステップＡ６)、これらの信号を受信した受信機５は送信機ＩＤ(１−１，２−１)を識別し(ステップＢ７)、１−１及び２−１の銘板８に隣接するランプ８を点滅させるとともに(ステップＢ８)、１−１と２−１成る信号を消去し(ステップＢ９)、受信機５のリセット釦６の押下げにより(ステップＢ１０)、点滅しているランプ８は消灯する(ステップＢ１１)。ここで、ステップＢ９で１−１と２−１成る信号が消去されると、コントローラ９の制御部９ｂは信号入力部９ａを介してこれらの信号消去を検知する。
【００４１】
次に、コントローラ９の警報リセットスイッチ１１を押下すると(ステップＣ１０)、制御部９ｂは信号出力部９ｄを介してＬＥＤ表示部２とフラッシュランプ３の消灯指令信号(ステップＣ１１，ステップＣ１２)と、サイレン４の鳴動停止信号(ステップＣ１３)とを大型警報表示器１へ出力し、大型警報表示器１では、これらの信号で、ＬＥＤ表示部２のリセットと(ステップＤ８)、フラッシュランプ３の消灯と(ステップＤ９)、サイレン４の鳴動停止(ステップＤ１０)が行なわれ、正常状態に戻る。
【００４２】
また、１−１教室のみ安全確認して押し釦１３ａを引き戻したが、２−１教室の押し釦１３ａを引き戻さない場合は、受信機５の２−１成る信号が消去されないので、コントローラ９の警報リセットスイッチ１１を押下しても大型警報表示器１のＬＥＤ表示部２の表示及びフラッシュランプ３の点滅は継続する。
【００４３】
このように、全ての侵入場所の安全確認を、押し釦１３ａの引き戻しという動作を実施しない限り、コントローラ９の警報リセットスイッチ１１を押下げても大型警報表示器１の表示状態は継続する。
【００４４】
本実施の形態によれば、大型警報表示器１にて不審者の侵入を報知するようにしたので、侵入場所の確認と対応が迅速にでき、侵入場所の確認も漏れなく確実に行なえる。
【００４５】
また、フラッシュランプ３の外形形状を三角柱として突出して配設しているので、大型警報表示器１に対して角度の無い真横からでも点滅の確認を行なえる。
【図面の簡単な説明】
【００４６】
【図１】本発明の一実施形態に係わる緊急通報装置を示す全体構成図である。
【図２】学校内における緊急通報装置の機器配置を示す配置図である。
【図３】職員室などに設置する緊急通報装置機器の配置を示す配置図である。
【図４】緊急通報装置の動作の一例を示すフローチャートである。
【符号の説明】
【００４７】
１  大型警報表示器
２  ＬＥＤ表示部
３  フラッシュランプ
４  サイレン
５  受信機
７  表示灯
８  銘板
９  コントローラ
９ａ  信号入力部
９ｂ  制御部
９ｃ  表示データ変換部
９ｄ  信号出力部
１０  サイレン停止スイッチ
１１  警報リセットスイッチ
１３  押し釦型送信機
【図１】
0004713370.tif 000002
【図２】
0004713370.tif 000003
【図３】
0004713370.tif 000004
【図４】
0004713370.tif 000005